(57)【要約】  上側に開口している容器状体（２）を有し、該容器状体（２）は床部（６）を有し、該床部（６）は、上方向に出張っており、相互に距離を置いて配置された側方ストリップ（１０、１２）を有するカード、及び／又は札のための保持器具であって、可能な限り全てのカードの種類、及び／又は紙幣の種類を、可能な限り材料を傷めないようにして、及び恒久的に信頼高く、保持器具内に収容するという課題を考慮しており、及び側方ストリップ（１０、１２）は床部（６）と共に、少なくとも部分的に、挿入区分を形成し、該挿入区分は、定義された挟込長さ（Ｋ）に沿って、少なくとも区分的に、挿入幅（Ｅ）を有し、挿入幅（Ｅ）は、５２ｍｍより長く、及び５３．９８ｍｍよりも短いことを特徴としている。【選択図】  図１ａ
2020531215.tif 000002
【特許請求の範囲】
【請求項１】
上側に開口している容器状体（２）を有し、該容器状体（２）は床部（６）を有し、該床部（６）は、上方向に出張っており、相互に距離を置いて配置された側方ストリップ（１０、１２）を有するカード、及び／又は札のための保持器具であって、
側方ストリップ（１０、１２）は床部（６）と共に、少なくとも区分的に、挿入区分を形成し、該挿入区分は、定義された挟込長さ（Ｋ）に沿って、少なくとも区分的に、挿入幅（Ｅ）を有し、挿入幅（Ｅ）は、５２ｍｍより長く、及び５３．９８ｍｍよりも短いことを特徴とするカード、及び／又は札のための保持器具。
【請求項２】
挿入幅（Ｅ）は、上側方向に広がっていることを特徴とする請求項１に記載の保持器具。
【請求項３】
挿入幅（Ｅ）は、上側領域で５４〜５４．２ｍｍの範囲であり、及び／又は５３．９８ｍｍから出発して、５４ｍｍから５４．２ｍｍの間の範囲の値に広がっていることを特徴とする請求項１又は２に記載の保持器具。
【請求項４】
挟込長さ（Ｋ）は、３ｍｍ〜８５．６ｍｍの範囲、好ましくは６ｍｍ〜８５．６ｍｍの範囲、特に好ましくは１０ｍｍ〜８５．６ｍｍの範囲であることを特徴とする請求項１〜３の何れか１項に記載の保持器具。
【請求項５】
側方ストリップ（１０、１２）の内側構成面（１０ａ、１２ａ）が、相互に挟込長さ（Ｋ）に沿って、相互に平行に配置されていることを特徴とする請求項１〜４の何れか１項に記載の保持器具。
【請求項６】
側方ストリップ（１０、１２）の内側構成面（１０ａ、１２ａ）は、容器状体（２）内に挿入されたカードが、上側又は下側にアーチ形にされ、又は床部（６）に対して斜めに傾斜して受け入れられるように形成されているか、又は傾斜していることを特徴とする請求項１〜５の何れか１項に記載の保持器具。
【請求項７】
床部（６）又は床部（６）の一部が、少なくとも区分的に、可逆的に変形可能であるか、及び／又は所定の加力下に、アーチ形になった状態又は湾曲した状態に形成されることを特徴とする請求項１〜６の何れか１項に記載の保持器具。
【請求項８】
容器状体（２）の結合ストリップ（１４）が、少なくとも区分的に、可逆的に変形可能であるか、及び／又は所定の加力下に、アーチ形になった状態又は湾曲した状態に形成されることを特徴とする請求項１〜７の何れか１項に記載の保持器具。
【請求項９】
容器状体（２）は、２成分注型法によって作られていることを特徴とする請求項１〜７の何れか１項に記載の保持器具。
【請求項１０】
少なくとも１つの挟み留部（４）が備えられ、該挟み留部（４）は、上側に向いて開口した容器状体（２）内に、上側から介入する構成を有し、
前記少なくとも１つの挟み留部（４）は、カードも、札も、容器状体（２）内に配置されていない場合には、部分的に、側方ストリップ（１０、１２）の間に存在し、及び自由端（３６）が、少なくとも概略的に、床部（６）にまで達していることを特徴とする請求項１〜９の何れか１項に記載の保持器具。
【請求項１１】
少なくとも１つの挟み留部（４）は、別個のバネ手段によって、その挟み力が補助されていることを特徴とする請求項１０に記載の保持器具。
【請求項１２】
前記別個のバネ手段が、葉状バネ、渦巻きバネ、又はバネクリップとして形成されていることを特徴とする請求項１１に記載の保持器具。
【請求項１３】
床部（６）が、空所（８）を有し、及びカードも、札も、容器状体（２）内に配置されていない場合には、１つ又は複数の挟み留部（４）は、前記空所（８）を通って、自由端（３６）が差し込まれていることを特徴とする請求項１０〜１２の何れか１項に記載の保持器具。
【請求項１４】
少なくとも２つの挟み留部（４）が設けられており、該挟み留部（４）は、側方ストリップ（１０、１２）又は結合ストリップ（１４）に配置されていることを特徴とする請求項１０〜１３の何れか１項に記載の保持器具。
【請求項１５】
容器状体（２）内に、少なくとの１つのカード又は１つの札が配置される、又は配置されている場合に、少なくとの１つの挟み留部（４）が持ち上げられ、及び加力を発揮し、これにより、少なくとも１つのカード又は少なくとも１つの札が、前記加力の下に、床部（６）の上で留められることを特徴とする請求項１０〜１４の何れか１項に記載の保持器具。
【請求項１６】
側方ストリップ（１０、１２）は、異なる高さを有し、及び／又は側方ストリップ（１０）の高さ（２４）は、側方ストリップ（１２）の高さ（２６）よりも高く、札及び／又はカードは、より低い高さ（２６）を有する側方ストリップ（１２）を経て、容器状体（２）から突き出ることが可能であることを特徴とする請求項１〜１５の何れか１項に記載の保持器具。
【請求項１７】
側方ストリップ（１０、１２）は、結合ストリップ（１４）と、相互に結合されており、これらのストリップは本質的にＵ形状に配置されており、及び結合ストリップ（１４）に向かい合って配置された前方端部（１６）において、カードが容器状体（２）内に挿入され、ないしは容器状体（２）から取り出されることが可能であることを特徴とする請求項１〜１６の何れか１項に記載の保持器具。
【請求項１８】
少なくとも１つの挟み留部（４）が、ストリップ部、特に結合ストリップ（１４）に配置され、及び／又は少なくとも１つの挟み留部（４）が、少なくとも１つのアーチ形状の領域（２８、２９）を介して、前記ストリップ、及び／又は結合ストリップ（１４）と結合しており、好ましくは２つのアーチ形状の領域（２８、２９）が備えられている場合には、これらの間に除去部（３４）が存在することを特徴とする請求項１０〜１７の何れか１項に記載の保持器具。
【請求項１９】
少なくとも１つの挟み留部（４）が、カードも、札も、容器状体（２）内に配置されていない場合には、床部（６）に対し、予め設定された角度で傾斜して設けられていることを特徴とする、請求項１０〜１８の何れか１項に記載の保持器具。
【請求項２０】
容器状体（２２）の長さ（５４）は、容器状体（２）内に完全に挿入された又は配置されたカード（５０）が、予め与えられた突出部（５６）で容器状体（２）から突出するように与えられていることを特徴とする、請求項１〜１９の何れか１項に記載の保持器具。  
【請求項２１】
容器状体（２）に配置された１つ又は複数の札（５２）が、予め与えられた突出部（５８）で、低い高さ（２６）を有する側方ストリップ（１２）を超えて容器状体（２）から突出していることを特徴とする、請求項１〜２０の何れか１項に記載の保持器具。  
【請求項２２】
唯一の挟み留部（４）、又は複数の挟み留部（４）が、これによって、カード（５０）も、札（５２）も、容器状体（２）内に、及び／又はその床部（６）で、しっかりと留められるように形成されていることを特徴とする、請求項１０〜２１の何れか１項に記載の保持器具。
【請求項２３】
空所（８）が、幅（６１）を有し、該幅（６１）は、一つ又は複数の挟み留部（４）の幅（６５）よりも相当に大きいことを特徴とする、請求項１３〜２２の何れか１項に記載の保持器具。
【請求項２４】
空所（８）が、側方ストリップ（１０、１２）及び前方端部（１６）及び後方の結合ストリップ（１５）の間の表面の、少なくとも半分の大きさであることを特徴とする、請求項１３〜２３の何れか１項に記載の保持器具。
【請求項２５】
床部が、側方の床部部分（２２、２３）を側方に有し、床部部分（２２、２３）の間に空所（８）が存在し、及び／又は床部部分（２２、２３）が幅を狭くして形成され、及び／又は床部部分（２２、２３）が、より高い高さ（２４）を有する第１の側方ストリップ（１０）よりも狭い幅を有することを特徴とする、請求項１３〜２４の何れか１項に記載の保持器具。
【請求項２６】
蓋部（６８）が設けれており、該蓋部（６８）は、側方ストリップ（１０、１２）、又は結合ストリップ（１４）に留められることを特徴とする請求項１〜２５の何れか１項に記載の保持器具。
【請求項２７】
蓋部（６８）が設けられており、該蓋部（６８）は、少なくとも１つの結合体（７０）、又は少なくとも１つの連結具（７４）を手段として、結合要素（７２）と、又は容器状体（２）の連結具（７４）と、又は容器状体（２）の切込溝（７８）と、好ましくは解放可能に結合していることを特徴とする請求項１〜２６の何れか１項に記載の保持器具。
【請求項２８】
容器状体（２）が、自由余地部又は切込溝（７８）を有し、この部位に連結具（７４）が固定され、特に固く留められ、又は貼り付けられていることを特徴とする請求項１〜２７の何れか１項に記載の保持器具。
【請求項２９】
選択により、異なって形成された蓋部（６８）が、容器状体（２）と結合可能であることを特徴とする請求項２７又は２８の何れか１項に記載の保持器具。
【請求項３０】
１つ又は複数の蓋部（６８）がそれぞれ、容器状体（２）の切込溝（７８）内の挿入体（１０２）で固定可能であることを特徴とする請求項２６〜２９の何れか１項に記載の保持器具。
【請求項３１】
少なくとも１つの蓋部（６８）が弾力性を有するように形成されていることを特徴とする請求項２６〜３０の何れか１項に記載の保持器具。
【発明の詳細な説明】
【技術分野】
【０００１】
本発明は、請求項１の上位概念に従うカード、及び／又は札のための保持器具に関する。
【背景技術】
【０００２】
特許文献１（ＥＰ２７７３２３５Ｂ１）から、保持器具からの取り出しが問題無く行われる、カード、特にクレジットカード、及び／又は札の機能的な保管が可能な保持器具が公知である。
【０００３】
この保持器具は、材料コストが低く、そして軽量である。更に、この公知の保持器具は、若干のカード、及び／又は札のみならず、これらの多数のものの安全な保管をも可能にする。この公知の保持器具は、互いに平行に配置された側方ストリップを有しており、これらの側方ストリップの間に、カードが重ねて受け入れられており、そしてカードの上に、上側から挟み留部が機能している。挟み留部とカードの間には、紙幣を配置することが可能である。
【０００４】
カード、特にクレジットカード又はお金、又はいわゆるロイヤルティーポイントを負わせるためのカードは、しばしば敏感な磁気ストライプ、チップ、又はラミネートを有し、これらは可能な限り大切に取り扱われる必要が有る。
【０００５】
紙幣も、特にＥＵ圏以外の紙幣は、非情に薄い紙で作られ得るもので、及び特に、長期に亘る使用の後に裂け目が入ったりする傾向が有る。
【先行技術文献】
【特許文献】
【０００６】
【特許文献１】ＥＰ２７７３２３５Ｂ１
【発明の概要】
【発明が解決しようとする課題】
【０００７】
このような背景で、可能な限り全てのカードタイプ、及び／又は紙幣タイプを、可能な限り材料を傷めないようにして、及び恒久的に信頼高く、保持器具内に収容するという需要又は課題が存在する。
【課題を解決するための手段】
【０００８】
上記課題は、請求項１に記載の特徴的構成によって解決される。
【発明を実施するための形態】
【０００９】
本発明に従い、側方ストリップは床部と共に、少なくとも区分的（断続的）に挿入区分を形成し、該挿入区分は、定義された挟込長さ（Ｋ）に沿って、少なくとも区分的（断続的）に、挿入幅を有し、該挿入幅は、５２ｍｍより長く、及び５３．９８ｍｍよりも短い。
【００１０】
通常のクレジットカードの幅よりも下回る値によって、カードは少なくとも挟込長さに沿って、同様な「挟み状態」を受け、この一方でカードは容器状体に挿入可能である。長期にわたる使用の後に、仮に容器状体の原材料が疲労し、又は伸びてしまっていたとしても、容器状体はなお、挟み力を有する。
【００１１】
容器状体に、挟み留部が設けられている場合、挟み留部は、カードを容器状体内に固定するために明らかに弱いバネ力をカードの方向に及ぼす必要があった。この理由は、その側部における「挟み状態」が、既に固定状態を生じさせるからである。比較的弱い挟み留部は、傷つきやすい紙幣を傷めることなく、及び裂け目の発生を防止する。カードのチップ、ラミネート、及び磁気ストライプも保護される。
【００１２】
挟み留部が発揮する挟み力が弱い場合、これらの摩耗及び疲労は少なくなる。このことは、合成物質内により少ないヤング率（Ｅ−モジュール）が作用することと関連している。少ないヤング率を有する合成物質は、疲労及び老朽化（使いつぶし）を低減する傾向がある。
【００１３】
挿入幅は、上側への方向に向けて広くなることができる。これにより、カードが、挿入の障害になるような過剰値を有する場合、カードは、上側へと容易に「かしぐ」ことができる。
【００１４】
この背景において、挿入幅は、上側領域で５４〜５４．２ｍｍであることが可能であり、及び／又は５３．９８ｍｍから出発して、所定の幅に広がることが可能であり、該所定の幅は、５４〜５４．２ｍｍの範囲である。これにより、通常のクレジットカードが問題無く、及びそれにも拘わらず、良好に固定して受け入れ可能な構成が、確実に達成される。
【００１５】
挟み長さは、３ｍｍ〜８５．６ｍｍの範囲であることが可能である。カードの十分な側部固定（側方からの固定）と挟み状態をもたらすために、この長さ範囲が有意義なものであることが判明した。挟み長さは、好ましくは、幾分長い６ｍｍ〜８５．６ｍｍの範囲、特に好ましくは、長い１０ｍｍ〜８５．６ｍｍの範囲である。
【００１６】
側方ストリップの内側構成面は、少なくとも挟み長さに沿って相互に平行に配置されることが可能である。これにより、カードは定められた高さ上に、専ら側方ストリップを介して、挟まれた状態で保持される。
【００１７】
側方ストリップの内側に位置する構成面は、容器状体内に挿入されたカードが、上側又は下側にアーチ形にされ、又は床部に対して斜めに傾斜して受け入れられるように形成されているか、又は傾斜していることが可能である。これにより、カードは軽く変形した状態で、容器状体内に力決定的に保持される。
【００１８】
床部又は床部の一部は、少なくとも区分的に、可逆的に変形可能であるか、及び／又は所定の加力（付勢力）下に、アーチ形になった状態又は湾曲した状態に形成されることが可能である。これにより、床部の所定部分がたわみ、及びその形状を変形させて、挿入されるカードの強すぎる「挟み状態」を補償し、低減させ、又は防止することが可能になる。
【００１９】
容器状体の結合ストリップが、少なくとも区分的に、可逆的に変形可能であるか、及び／又は所定の加力下に、アーチ形になった状態又は湾曲した状態に形成される場合、同様のことが達成可能になる。容器状体は、２成分注型法によって作られていることが可能である。これにより、容器状体の個々の領域又は部分、特にその挟み留部を、異なるヤング率を有する異なる材料で作成することが可能になる。例えば、挟み留部（クリップ）を、比較的弾性の合成物質で、及び容器状体の他の部位を、比較的堅い合成物質で作成することができる。
【００２０】
本保持器具は、単純な構成によって、カード、及び／又は札の機能的に適切な保管に優れ、及び可能とするもので、その挿入、同様に取り出しが何ら問題無く行われるものである。
【００２１】
本明細書に記載した種類の保持器具は、カード、及び／又は紙幣を上側から床部に対して押し当てるために、１つ又は複数の挟み留部を有することが可能である。
【００２２】
少なくとも１つの挟み留部が、別個のバネ手段によって、その挟み力を補助されていることが可能である。これにより、挟み留部は、たとえその材料が疲労現象を示したとしても、十分なバネ力を床部の方向に及ぼすことが可能となる。
【００２３】
別個のバネ手段は、葉状バネ、渦巻きバネ、又はバネクリップとして形成されていることが可能である。このようなバネ手段は、安価に及び容易に加工可能である。
【００２４】
容器状体は単一体的に形成することが可能であり、及び挟み留部は、所望の方法で、その統合された構成部分であることが可能である。本保持器具は、有利なことには、サック（小型ケース）として形成され、及びカード、例えばクレジットカード又はキャッシュカード、特に通常では所謂キャッシュカード形式のもの、及び紙幣、証書、メモ用紙等の保管に有用である。
【００２５】
１つ以上の挟み留部を使用して、札もカードも容器状体内にしっかりと留められ、そしてカードの別個の保持用の追加的な手段は必要とされないが、しかしながら備えられることも可能である。
【００２６】
更に、容器状体は、床部から突き出ており、及び相互に向かい合っている２つの側方ストリップを有し、これらの側方ストリップの間に、１つ以上のカードが固定されることが可能である。容器状体内に、カード又は札が配置されていない場合には、１つ以上の挟み留部は、少なくとも概略的に容器状体の床部にまで達している。
【００２７】
床部は好ましくは空所を有し、保持器具内にカード又は札が存在しない場合には、該空所を通って少なくとも１つのバネ弾性を有する挟み留部が差し込まれることが可能である。床部とストリップ部の上側の領域は自由であり、及び上側部分は存在せず、挟み留部は、少なくとも床部まで、及び／又は床部の空所まで達しており、及び好ましくは空所を通って少なくとも部分的に差し込まれていることが可能である。
【００２８】
カード、及び／又は札の挿入の際、バネ弾性の挟み留部は、（少し）持ち上げられ、及び加力（付勢）され、次にこの加力に基づいて、たとえ１枚のカードであっても、確実に保持するか、ないしは容器状体内にしっかりと留めることができる。
【００２９】
空所の寸法は、好ましくは、所望のカードに単純な態様でアクセスして、及び取り出し可能であるように、１枚以上のカードを単純な態様で、２本の指、又は親指で移動させることが可能であるように概略設定される。
【００３０】
更に、空所は好ましくは、１つ以上の挟み留部よりも相当に大きい幅を有する。そしてこの幅の設定により、使用者は、挟み留部の少なくとも１側方、又は先端部領域において、例えば１本の指を差し込むことが可能であり、これにより１つ以上の挟み留部でカード上に及ぼされた加力を最小限にし、及びかくして所望のカードを容器状体から容易に取り出すことが可能なものである。
【００３１】
有利なことには、上記側方ストリップは異なる高さを有し、これにより札又は（側方ストリップの間隔によって与えられるものよりも）大きいカード、例えば名刺を、より短い側方ストリップを超えて突出させることが可能であり、及びそれにも拘わらず固定することができる。
【００３２】
本発明の好ましい一実施の形態では、蓋部、特に可変性のある（柔軟な）蓋部が備えられており、該蓋は、上述した側方ストリップ、又はその結合版に留められており、及び場合により、必要により、交換可能なものである。
【００３３】
更に、容器状体は、カード、及び／又は札の挿入を容易にするために、好ましくは、少なくとも１つの窪み部を有する。
【００３４】
本発明に従う保持器具の更なる詳細、及び特定の実施の形態は、従属項及び以下の適用例に記載に説明されている。
【００３５】
概観的な理由から、異なる適用例（実施例）で、本質的に機能が同様の要素についは同じ符号が使用されている。
【００３６】
本発明を図に示した適用例を使用して、より詳細に説明するが、本発明はこれら適用例に限られるものではない。
【図面の簡単な説明】
【００３７】
【図１ａ】図１ａは、挟み留部の無い状態の保持器具の遠近画法図である。
【図１ａｂ】図１ａｂは、図１ａに従う、挟み留部の無い状態の保持器具の遠近画法図の拡大説明図である。
【図１】図１は、単独の挟み留部を有する保持器具の遠近画法図である。
【図２】図２は、保持器具の図１に従う面で、保管したカード及び札を有した状態を示した図である。
【図３】図３、４は、図１、２に従う、注視方向Ａで示した図である。
【図４】図３、４は、図１、２に従う、注視方向Ａで示した図である。
【図５】図５、６は、図１、２に従う、注視方向Ｂで示した図である。
【図６】図５、６は、図１、２に従う、注視方向Ｂで示した図である。
【図７】図７、８は、図１、２に従う、注視方向Ｃ示した図である。
【図８】図７、８は、図１、２に従う、注視方向Ｃ示した図である。
【図９】図９〜１１は、蓋部を有する特定の適用例の遠近画法図である。
【図１０】図９〜１１は、蓋部を有する特定の適用例の遠近画法図である。
【図１１】図９〜１１は、蓋部を有する特定の適用例の遠近画法図である。
【図１２】図１２〜１６は、蓋部を有する特定の適用例の容器状体を示した図である。
【図１３】図１２〜１６は、蓋部を有する特定の適用例の容器状体を示した図である。
【図１４】図１２〜１６は、蓋部を有する特定の適用例の容器状体を示した図である。
【図１５】図１２〜１６は、蓋部を有する特定の適用例の容器状体を示した図である。
【図１６】図１２〜１６は、蓋部を有する特定の適用例の容器状体を示した図である。
【図１７】図１７、１８は、蓋部の適用例である。
【図１８】図１７、１８は、蓋部の適用例である。
【図１９】図１９は、蓋部を有する保持器具、もしくはサック（小型ケース）であって、蓋部が持ち上げられた位置、又は高角に旋回した位置にある状態を示した図である。
【図２０】図２０は、カードが積層された保持器具を下側から見た図である。
【図２１】図２１〜２５は、蓋部を備えた適用例を示した図であり、蓋部は閉じた位置に描かれている。
【図２２】図２１〜２５は、蓋部を備えた適用例を示した図であり、蓋部は閉じた位置に描かれている。
【図２３】図２１〜２５は、蓋部を備えた適用例を示した図であり、蓋部は閉じた位置に描かれている。
【図２４】図２１〜２５は、蓋部を備えた適用例を示した図であり、蓋部は閉じた位置に描かれている。
【図２５】図２１〜２５は、蓋部を備えた適用例を示した図であり、蓋部は閉じた位置に描かれている。
【図２６】図２６は、金属で構成された容器状体の作成のための裁断（切り取り）図である。
【図２７】図２７は、交換可能な蓋部を有する適用例を示した図である。
【図２８】図２８、２９は、２つの挟み留部を備えた２適用例を示した図である。
【図２９】図２８、２９は、２つの挟み留部を備えた２適用例を示した図である。
【００３８】
図１ａ又は図１ａｂは、上側に開口した容器状体２を含む、カード、及び／又は札用の保持器具を示しており、容器状体２は床部６を有し、床部６は、上側に出張っており、及び相互に間隔をおいて配置された側方ストリップ１０、１２を有している。
【００３９】
側方ストリップ１０、１２は床部６と共に、少なくとも部分的（区分ごと）に、上側に開口した挿入区分を形成し、又は上側に開口した挿入区分の類を形成しており、該挿入区分は、定義された挟込長さＫに沿って、少なくとも区分的（断続的）に挿入幅Ｅを有し、挿入幅Ｅは、５２ｍｍより長く、及び５３．９８ｍｍよりも短い。
【００４０】
挟込長さＫは、一点鎖線で容器状体２の縦方向に描かれている。挿入幅Ｅは、容器状体２の横方向に描かれている。
【００４１】
挿入幅Ｅは、上側に向けて連続的に広くなってる。挿入幅Ｅは、上側領域で、５４〜５４．２ｍｍの範囲であり、及び５３．９８ｍｍから出発して、５４ｍｍ〜５４．２ｍｍの範囲にまで連続的に広くなっている。
【００４２】
挟込長さＫは、３ｍｍ〜８５．６ｍｍの範囲である。
【００４３】
図１に示したように、側方ストリップ１０、１２の内側に位置する構成面１０ａ、１２ａが、下部領域において、相互に挟込長さＫに対して平行に配置されることが可能である。
【００４４】
図１ａ、又は図１ａｂでは、側方ストリップ１０、１２の内側に位置する構成面１０ａ、１２ａは、容器状体２内に挿入されたカードが、好ましくは上側にアーチ形にされ、又は床部６に対して斜めに傾斜して受け入れられるように形成されているか、又は傾斜している。
【００４５】
床部６は、少なくとも区分的に、可逆的に変形可能であり、及び所定の加力下に、アーチ形になった状態又は湾曲した状態に形成される。具体的には、前側床部部分１８及び容器状体２の後部の結合ストリップ１４は、可逆的に変形可能であり、及び所定の加力下に、アーチ形になった状態又は湾曲した状態に形成される。
【００４６】
図１に示した保持器具は、容器状体２、及びこれと特に統合して結合した唯一つの挟み留部４を有している。保持器具、及び／又はサック（小型ケース）は、好ましくはバネ弾性を有する合成物質、例えばＰＥＳ又はＰＳＵ、及び／又は（これらが持続的に変形された場合に、僅かにしかクリープの傾向を示さない）高い加工温度、及び／又は耐高温性を有する合成物質で構成される。有利な態様で、使用される合成物質は、繊維、特にカーボンファイバーで強化されることが可能である。他の合成物質も使用可能であり、この例は、ＰＯＭ、ＡＢＳ、ＰＡ（ガラスファーバー、又はガラス球が詰められたもの）、又はこれらに類似するものである。
【００４７】
この替わりに、保持器具は、十分なバネ弾性を有する金属で構成され、この例は特に、特殊鋼であり、ここで特に、任意に備えられる挟み留部４、及び容器状体２の厚さの設定寸法が、前者に挟み留部４のバネ弾性を与え、及び後者に全体構成に安定性を与えている。容器状体２は、フレーム（枠）の態様で形成され、及び床部６（床部６には、空所８が設けられていることが有利である）、及び第１の側方ストリップ１０、及び側方ストリップ１０に対向して設けられた第２の側方ストリップ１２（側方ストリップ１０と側方ストリップ１２は、結合ストリップ１４を介して結合されている）を含んでいる。結合ストリップ１４に対向する位置には、ストリップ部（側方ストリップ）は存在しておらず、これにより、後に前方端部１６と称される一端部において、単に前側床部部分１８が存在しており、そしてカードを、前側床部部分１８越しに容器状体２内に、及び対向して備えられた側方ストリップ１０、１２の間に挿入することが可能である。替わりの特定の実施の形態では、前川床部部分１８を無くすことも可能である。両方の側方ストリップ１０、１２は、相互に所定の間隔を有し、該間隔は本質的に等しい長さであり、及び目的に従って、通常のクレジットカード、キャッシュカード、又はこれらに類似するものの幅よりも僅かな寸法だけ長い長さである。側方ストリップ１０、１２及び結合版１４は、本質的にＵ形状に伸びており、及び少なくとも概略的に長方形状に床部６に配置されている。
【００４８】
床部６及び側方ストリップ１０、１２、１４の上側には、自由空間が存在しており、これにより挟み留部４が少なくとも空所８に到達可能であり、及び好ましくは、空所８を通って少なくとも部分的に差し込むことが可能である。更に説明されるべき、２つの挟み留部を有する適用例のために、以下に説明する１つの挟み留部への実施形態は、２つの挟み留部を有する適用のために有効であることが明確に確認される。カードも札も容器状体内に存在しない場合、挟み留部４は空所８に差し込まれる。
【００４９】
空所８は、床部６の全体面積の相当な部分を占めており、及び好ましくは床部６の全体面積の半分よりの相当に大きく、ここで床部６は上述したストリップ部１０、１２、１４及び前側床部部分１８の外側あるいは前側縁部２０によって定められている。空所８は窓とも称されるもので、好ましい態様ではこれは、大きく、及び／又は自由に定められ、これにより、使用者が２本の親指を一緒に差し込むことが可能であり、及びカードを次々に下側に積み重ねることが可能であり、あるいは、保持器具あるいはサック（小型ケース）から取り出すことが可能なものである。これにより、有利な態様で、「正しいカード」を探し出すことが容易化され、それにも拘わらず、特に側方にずらされたカードを巡回させることが可能であり、及びこれらを容易な態様で、再び保持器具、あるいはサック内に再挿入可能であり、及び／又は容易に戻すことが可能である。
【００５０】
設定される空所８は大きく形成されるために、カードは１本の親指、又は指でずらされるのみならず、カードは２本の親指、又は指でずらされるか、押されることが可能であり、及び／又は同時に引き出すことが可能である。このことは、所望のカードが、特に上側で目視可能であり、及び放出側、及び／又は前方端部で、下側から取出可能となるまで行うことができる。前側縁部２０は、単純な方法で挿入可能であるように、好ましくは（角をとって）丸められ、及び／又は湾曲して形成される。側部の床部部分２２は、図では、この箇所から第１の側方ストリップ１０が上側に突き出ているが、目的に従った所定の幅を有しており、この幅は第１の側方ストリップ１０の高さ２４よりも小さいことが有利である。第２の側方ストリップ１２に割り当てられる側部の床部部分は、目的に従って、側部の床部部分２２と、本質的に同等の幅を有している。第２の側方ストリップ１２の高さ２６は、予め設定された値だけ高さ２４よりも低いが、この構成については後に詳述する。
【００５１】
好ましい態様では、結合ストリップ１４の領域には、床部部分は存在しない。側方ストリップ１０、１２のこの不均整な構成のために、側方ストリップの間隔によって与えられる幅よりも大きい幅を有するカードを、好ましい態様で容器状体内に保管可能になる。
【００５２】
ただ１つの挟み留部４は、目的に従って、アーチ形状の領域２８、２９を介して、結合ストリップ１４と結合しており、ここで挟み留部４は、２つの、相互に間隔をおいて配置された挟み留部部分３０、３２を有しており、挟み留部部分３０、３２の間に、除去部３４が存在する。これにより、挟み留部４のバネ弾性、及び／又は曲げ性が最適化される。
【００５３】
結合ストリップ１４は更に、挿入されたカードのための端部止め部になる。挟み留部４は、本質的に、平滑に形成されており、及び自由端３６を有し、自由端３６は、床部に対して上側へと突き出している先端部３８を有している。結合ストリップ１４に関連して、挟み留部４は、空所８に差し込まれ、空所８を、その全体長さの相当な部分を介して侵入し、及び床部６の下側から突き出るような所定の長さを有するように形成され、及び／又は配置され、及び／又は構成される。
【００５４】
更に、保持器具にカードも札も挿入されていな場合には、挟み留部４は、床部６に対して、所定の設定角度で傾斜して設けられていることは、明確に理解される。ただ１枚のカードが容器状体２に挿入されていても、挟み留部８は、空所８から矢印４０の方向に持ち上げられ、及びこの唯一のカードを、与えられた加力に基づいて、容器状体２内にしっかりと保持する。
【００５５】
加力は、挟み留部４のバネ弾性に基づいて与えられ、及び更に、特に有利な態様では、挟み留部４は、結合ストリップ１４の上側に設けられており、結合ストリップ１４には、ねじれ力が１枚以上のカード、及び紙幣上の挟み留部４を介して作用し、そして特に、結合ストリップ１４の領域に床部部分は存在しない。
【００５６】
挟み留部４の圧力、又は力は、両挟み留部部分３０、３２の曲げ性を介してのみならず、結合ストリップ１４のねじれによってでも形成される。更に、挟み留部部分３０、３２は、最適な曲げ性で、及びかくして加力の発生において、及び／又は挟み力で、矢印４０の方向に対して逆方向に作用する。
【００５７】
更に、挟み留部４、及び／又は結合ストリップ１４を有する結合領域における挟み留部部分３０、３２は、所定の厚さ４２を有し、厚さ４２は自由端３６の厚さ４４よりも厚い。従って、挟み留部４は、先端部３８に向かって減少する厚さを有する。これにより、容器状体２に挿入されたカード、又は札を有利な領域に固定するために、挟み留部４の先端部３９の領域の手前において有利な態様で、力が有利な点に加えられる。
【００５８】
壁厚さが挟み留部４の先端部３８に向かって減少する結果、挟み留部４の支持点（台架点）は、カードの保管状態の高さに従い、レバー（てこ）が短くなる方向へと相当に容易に移動し、及び／又は特にアーチ形状の領域２８、２９に基づいて  及び／又は挟み留部４の結合ストリップ１４との、及び／又は容器状体２との結合領域に基づいて、容易に移動する。側方ストリップ１０、１２の前側縁部４６、４７は、前側縁部２０から結合ストリップ１４の方向に向けて、間隔４８をおいて配置され、及び戻されている。
【００５９】
更に、前側縁部４６、４７は丸められており、これにより、カードの挟み留部４に対する容器状体２への挿入が、挟み留部４の同様に丸められて形成された先端部３８の下部を通って、カース２内へと、特に単純な態様で、及び容易に行うことが可能である。
【００６０】
図２は、保持器具を示しており、同図に示した保持器具は、容器状体２に組み入れられたカード５０及び紙幣５２を有しており、これらは挟み留部４を手段として、一緒にしっかりと留められている。容器状体２の長さ５４は、カード５０が、与えられた突出部５６で、容器状体２から突出するように設定されており、及びこれにより、必要に応じて、単純な態様でカード５０を捕え、及び取り出すことが可能である。
【００６１】
両側方ストリップ１０、１２の高さが異なっていることに基づいて更に、紙幣５２、又は書類、又はこれらに類似するものを、より低い第２の側方ストリップ１２の上側縁部の上に配置することが可能であり、及び同様に、突出部５８で、容器状体２から側方に突出させることが可能である。高い方の側方ストリップ１０は、好ましくは、基本的に１０枚のカードを良好に入れることができ、カード５０が低い方の側方ストリップ１２上で押し付けられることが回避されるように形成される。
【００６２】
低い方の側方ストリップ１２は、有利なことには、保管されるカードが少ない場合、紙幣、又は文書、又はこれらに類似するものが、かさばらずに横に突出することができるように設計される。紙幣５２又は文書又はこれらに類似するもの、及び／又はカード５０の安全な保管は、側方ストリップ１０、１２従って容器状体２の非対称な形成状態（デザイン）によって達成される。
【００６３】
表示されている積み重ね状態の１枚又は複数枚のカード５０を取り出すためには、使用者は、容器状体２の下側から床部６の空所８を通って挟み留部４の方向に、１本の指、好ましくは、２本の指又は両方の親指を押すことが可能であり、これによって、挟み留部４によって加えられた保持力が最小限になり、及び所望のカード５０を容易に取り出すことが可能である。その際、使用者は例えば、収容部２を親指と小指で手にしっかりと持って、及び例えば、図２（図２０）のように、カードを中指で空所８を通って（上側に）幾分か押すものである。
【００６４】
使用者は、カードの積み重ね状態の一番下のカード又は一番上のカードを押して取り出すだけでなく、例えば中央部のカードを取り出すことも可能であり、ここで使用者は、予め中央部の１枚又は複数枚の隣接するカードを幾か取り出し、そして所望のカードを完全に押し出すことが可能である。更に、紙幣、又はこれに類似するものは十分に柔軟性（しなやかさ）があるので、事前に設定される挟み留部４の勢力により、ただ１枚のカードでも紙幣と一緒に保持器具内でしっかりと保持されることが留意される。
【００６５】
図３及び図４は、図１の目視方向Ａから見た保持器具であって、カード５０及び紙幣５２が保持されている状態と保持されていない状態を示している。第１の側方ストリップ１０の高さ２４は、が第２の側方ストリップ１２の高さ２６より高いことから、容器状体２は非対称であり、そして図４によれば、紙幣５２は第２の側方ストリップ１２の上部から突出部５８で突出する。
【００６６】
図３によれば、上述した床部６の空所８により、挟み留部４は少なくとも部分的に空所８を通過し、下側部６０から先端部３８で突出する。図４によれば、札５２は、部分的に高い方の第１の側方ストリップ１０に隣接（当接）し、他方側では、低い方の第２の側方ストリップ１２の上縁に載って、容器状体２から突出部５８で側方に突出する。
【００６７】
側壁又は側方ストリップ１０、１２の形成状態が非対称的であることにより、カード、特に名刺は、クレジットカードに比べて１ｍｍ又は数ｍｍの所定量だけ幅が広いことが多いので、突出することが可能である。また特に、製造技術的に、半径無しでの形成は、実際的には不可能であるので、突出部の対向角部及び／又は内側角部は非常に小さい半径を有することが特に有利である。
【００６８】
名刺等の幅のより広いカードを収容可能にするために、角部、及び／又は突出部は必要とされるが、これらは、クレジットカードが簡単に落ちないようにするために、クレジットカードにとって有利な態様で、少ない交差が選択可能であることが求められる。クレジットカードよりも大きい名刺は突出させることが可能であるので、特に名刺は、折り込みが無くなり、及び保持器具又はサック（小型ケース）の幅における交差は小さくされる。
【００６９】
特に、有利な態様で、カードは一方側からのみ挿入可能であるだけでなく、必要に応じて三方から保持器具、又はサックに挿入可能であることが指摘される。
【００７０】
図５及び図６は、目視方向Ｂから見た図１の保持器具を示した図であり、図５では、相当に大きい空所８が明確に認識可能であり、ここでは空所８に挟み留部４が部分的に突出している。図６には、カード５０と共に、カード５０の突出部５６が見やすく示されており、及び同様に、挟み留部４によって容器状体２に留められている札５２の突出部５８も示されている。
【００７１】
空所８は、挟み留部４の幅６５よりも本質的に広い幅６１を有し、及びこれにより特に、挟み留部４の側面と側方の床部部分２２、２３との間に自由間隙が存在する。更に、図から明らかであるように、床部部分１８と挟み留部４の前端部との間にも自由間隙が存在する。上述の間隙は、使用者の指を差し入れることができるように設定される。
【００７２】
カードが容器状体２内にある場合、使用者は指を上述の間隙の１つに差し入れ、カードの束の一番上のカードを押して、挟み留部４の保持力又は勢力を最小限に抑えることで、所望のカードを容器状体２からより簡単に押し出すことができる。したがって、使用者は、一番上のカードを取り出すだけでなく、例えばカード束から３枚目のカードを取り出すことも可能である。この場合、例えば、上の２枚のカードを、好ましくは真ん中まで押し出し、そして最後に３枚目のカードを容易に押し出すことができる。
【００７３】
本保持器具は、枠（フレーム）として形成され、２つの狭い側方床部部分２２、２３と、好ましくは前側床部部分１８と、後方の結合ストリップ１４によって互いに接合される２つの側方ストリップ１０、１２とを備える。好ましくは長方形の空所８は、床部部分２２、２３の幅より相当に広い幅６１を有する。空所８は、有利には、後方の結合ストリップ２４で終るので、後方接続リッジ２４には床部部分が存在しない、及び／又はフレーム状容器状体２は、後方の結合ストリップ１４によって保持されている。
【００７４】
後方の結合ストリップ１４は、両側方ストリップ１０、１２を結合し、両側方部１０、１２は、側方の床部部分２２、２３に、好ましくは直角に結合される。床６に対して、枠状に形成された容器状体２は、可撓性の挟み留部４に向かって上側が開口し、挟み留部４は上側から床部又はその空所４まで達し、又はこの箇所を通って差し込まれる。
【００７５】
図５には、代りの実施形態が破線で示されている。この代わりの実施形態によれば、側方ストリップ１０、１２の前側縁部４６、４７の領域にアンダーカット６２が設けられ、アンダーカットはカードを留めるための切りかき要素を形成する。アンダーカット６２又はカード切欠は、カードが対向する留め部６２間を通って押し出されるように設計される。
【００７６】
また、追加として、又は代替として、前側床部部分１８は、破線６６で示されるように除外されてもよい。容器状体２、及び特に、アンダーカット６２として設計されたカード切欠を有する側方ストリップ１０、１２が可撓性（柔軟性）を有することにより、カードを容器状体２に容易に挿入し、及び容器状体２から取り出すことができる。
【００７７】
図７及び図８は、容器状体２と挟み留部４と空所８とを備える保持器具を示しており、図７には、側方ストリップ１２に結合する床部部分２３示されており、図８によれば、挿入されたカード５０及び札５２がここでも識別可能である。
【００７８】
本保持器具は少ない構成費用で、カード及び／又は札の容易な取扱に関する実用的要件及び／又は課題を満たし、カード及び／又は紙幣の機能的に安全な受入れ、及びその容易な取出しが達成される。さらに、本保持器具は、有利なことには、低質量であり、及び／又は材料使用量が少ないという特徴を有する。
【００７９】
容器状体２の非対称な形成状態（デザイン）、及び／又は上述の異なる高さの側方ストリップ１０、１２のデザインは、挟み留部４によって、カード及び紙幣、又はこれに類似するものを一緒にしっかりと保持して、及び必要に応じて、容易な態様で保持器具から取出すために、特に重要である。
【００８０】
図９〜図１１は、本発明の特定の実施形態を示しており、これらの実施形態では、保持器具、及び／又はサック（小型ケース）は蓋部６８を備える。蓋部６８は、閉じた状態では、少なくとも１つの挟み留部４の上、任意に、挿入されたカード及び／又は札を超えた上側に位置する。
【００８１】
可撓性（柔軟性）蓋部６８は、少なくとも１つの結合体７０を含み、及びこれに対応して、容器状体２は、特に第２の側方ストリップ１２に、少なくとも１つの結合要素７２を含んでいる。
【００８２】
図９及び図１０によれば、２つの結合体７０及び２つの結合要素７２が存在する。図から明らかなように、挟み留部４は、蓋部６８の容器状体２との結合が成された後は、蓋部６８で覆われる。蓋部６８は、少なくとも部分的に、柔らかい革、フェルト、毛皮、又は合成物質（プラスチック材料）のような可撓性材料でできており、及び必要に応じて、札及び／又はカードが使用者にとって使用しやすくなるように、容器状体２又は挟み留部４から旋回するようにして移動させることができる。
【００８３】
替わりの形態として、蓋部６８は、金属又は硬質合成物質材料のような十分に非変形性の材料から形成することができ、ここで単数又は複数の結合体７０はヒンジとして形成され、及び／又は一つ以上の結合体７０と蓋部６８の間に、他のヒンジ、特にフィルムヒンジが存在する。
【００８４】
蓋部６８は、単数又は複数の結合体７０に対向して、連結具７４を含み、及びそれに対応して、容器状体２は、第１の側方ストリップ１０の箇所に、及びこれから離間して、余地７８又は切込溝７８を空けて配置される、追加ストリップ７６を備える。連結具７４は、余地７８又は切込溝７８にはめ込むことができる。
【００８５】
目的にかなった更なる形態では、図９に破線で示されるように、蓋部６８は、下側又は上側に小銭もしくはコイン又は他の小物用のポケット７５を有することができる。好ましくは、垂れぶた７７又はスナップもしくはファスナーのような他の閉鎖部材を備えることができる。
【００８６】
さらに他の実施形態によれば、容器状体２は、挿入補助部として、挿入側及び／又は床部６及び／又は床部部分１８に破線で示された少なくとも１つの窪み部７９を備えることにより、単数又は複数のカードを容易に挿入する又は取り出すことが可能になる。図示されているように、角部及び／又は中央に少なくとも１つの挿入補助部又は窪み部７９を備えることができるが、当然、当該窪み部を他の位置に設定することも本発明の範囲内である。
【００８７】
図１１に従う代わりの実施形態では、蓋部６８は、連結具７４によって余地７８又は切込溝７８に差し込まれて、余地７８内で容器状体２に関して固定され、例えば、挿入され、及び／又は挟み込まれ、及び／又は接着されてもよい。この実施形態では、結合体７０又は結合要素７２は、永続的に結合（接合）するために設けられるのではなく、閉じた状態の蓋部６８の保護（保全）のために設けられる。
【００８８】
使用者が保持器具又はサック（小型ケース）からカード又は札を抜き出そうとする時は、単数又は複数の結合要素７２から単数又は複数の結合体７０を外し、及び蓋部６８を旋回させるようにして移動させることができるが、余地７８又は切込溝７８内の連結具７４の結合は維持されることになる。別の特定の実施形態では、連結具７４及び／又は蓋部６８は、追加ストリップ７６を使用して挟みレールの方式に従って容器状体２に結合可能であり、及び特に、蓋部６８を単純な態様で容器状体２と結合することが可能であり、及び必要に応じて、別の蓋部と取換え、及び／又は交換可能である。
【００８９】
図１２及び図１３は、容器状体２が可撓性（柔軟性）蓋部６８の連結具、及び／又は側方部分７４を収容するための上述の追加ストリップ７６を含む実施形態を例示的に示している。図１２に横線で示されているように、追加ストリップ７６は容器状体２の全高８０にわたって伸びてはいないが、所定の部分８２に渡って伸びている。この部分８２は、全高８０の１／４〜１／２の範囲であり、少なくとも約３／８の値である。
【００９０】
しかし、図１２に太線で示されているように、追加ストリップ７６は、基本的には、好ましくは丸みを帯びた角領域８４、８５では容器状体２の全高８０にわたって伸びている。従って、側方ストリップ１０及び追加ストリップ７６は、切込溝７８の幅に対応する間隔８６を有する二重壁を形成する。更に、蓋部６８は突出部９４を有するが、突出部９４は特に、実施において蓋部６８の容易な掴みを可能にするものである。
【００９１】
図１４〜図１６は、図１２及び図１３に対応する例示的な実施形態を示している。この場合、可撓性、及び／又は柔軟性材料（特に革、又は合成物質）で作られた蓋部６８の結合部分を受け入れるために設けられている余地７８又は切込溝７８を有する挿入機構及び／又は追加ストリップ７６が、長い側部境界部、及び／又は側方ストリップ１０の箇所に設けられている。
【００９２】
図から明らかなように、蓋部６８は、「現金の側」を覆うように、合目的的に容器状体２の側部に固定される。このように、製造するのが容易及び／又は単純であり、及び／又は都合の良い、多数のカード及び／又は任意で現金のような札を本サック（小型ケース）に入れて持ち歩くことができる実施形態が形成される。替りの形態として、挿入機構を更に、結合ストリップ１４に配置し、又は結合ストリップ１４に組み込むことが可能である。
【００９３】
図１７は、蓋部６８をより良好に取り付け可能とするために、窪み部８８と結合部分及び／又は結合体７０とを有する蓋部６８を示している。結合部分又は結合体７０は、上述した余地に差し込まれて、及び特に、接着剤によって固定される。側部に配置された窪み部８８により、単純な態様で、及び機能的に、蓋部６８を容器状体２に取り付け可能であり、及び／又は結合可能である。窪み部８８は、隅の折れがめくれ上がらないように、縁部のみを含んで良く、又は材料強度に応じ、又はこれを考慮して縁部を含んでも良い。
【００９４】
窪み部は、有利な態様で、縁部が覆われるように、蓋部６８の縁部および／または結合体７０を含む（嵌め込む）ために、ポケットとして設計される。この場合、可撓性の蓋部６８は、好ましくは、革、フェルト、ネオプレン、不織布、ゴム、多孔質ゴム、シリコン製、または任意の類似の材料の組合せ製とすることができ、縁部が覆われるように、特に、ポケットのような上述の窪み部８８によって嵌め込まれることに留意されたい。
【００９５】
これにより、材料の変化の際、例えば革に作用が生じ、及び接着箇所、又は他の結合手段から側方に歪みが生じた場合、（容器状体２、特にその余地内に）固定された側方側面、又は結合部分７０が、確実に材料、特に容器状体２の合成物質に囲まれていることになり、及び従って清潔で、及び／又は整然たる外観、及び／又は機能的に確実な結合が存在するという構成が、特に有利な態様で達成される。
【００９６】
窪み部８８の空所、及び／又はポケット及び／又は上述の自由空間が存在することにより、蓋部６８を単純にかつ容易に取り付けることができる。
【００９７】
更に、蓋部６８、及び／又は結合部分が上述の溝に差し込まれる時に、接着剤が、特に、より容易に、及び／又はより容易な態様で塗布可能となるように、溝の内壁からの距離を予め設定することができる。蓋部６８は、図２を使用して説明した容器状体の長さ５４より、所定の大きさだけ長い長さ９０を有する。蓋部６８は突出部９４を有し、これは旋回するように動かすために蓋部を掴みやすくするものである。突出部９４の長さ９２は、図２を使用して説明した、カードの突出部５６と少なくとも同じ長さであることが好ましく、さらに有利には、カードの突出部５６より所定の値だけ長い。示されている寸法は、単なる例示であり、本発明の範囲内で異なる寸法で、特に、容器状体２の寸法に依存して、事前に設定されても良い。
【００９８】
図１８は、突出部９４に加え、又は突出部９４の代わりに、他端部に更なる突出部９５を備えた蓋部６８の特定の実施形態を示しており、ここで結合体７０は、長さ方向側に存在する。替わりの実施の形態では、突出部９５の代わりに結合体７０を設けることが可能であり、これにより蓋部６８を、容器状体２の長手方向に動かすことができるように配置することができ、及び容器状体２から、又はその中に保管されたカード、及び／又は札から、上にあげ、又は戻すことが可能になる。
【００９９】
図１９は、カード５０及び札５２が挿入された容器状体２を示しており、蓋部６８は上にあげられ、及びカード５０及び札５２から旋回するように動かされている。蓋部６８が旋回するようにして戻されると、挟み留部４、及び札５２、及びカードが覆われる。
【０１００】
図２０には、狭い床部分１８，２２、２３と大きい空所８とを備えた床６の裏側から見た容器状体２が示されている。予め設定される空所８の大きさにより、使用者は、カード５０．１及び５０．２を１本の親指だけでなく両方の親指で動かす、もしくはスライドさせる、又は押す、及び／又は同時に引き出すことができる。使用者は、カードの積み重ねから所望のカードを見つけるまでこの動作を続け、そして見つけた所望のカードを、保持器具の容器状体２から完全に引き出す、及び／又は取り出すことができる。
【０１０１】
図２１は、中身の無い保持器具又はサックを示しており、図２２は、カード５０及び札５２が容器状体２に挿入されている状態を示している。蓋部６８は、いずれの場合も、容器状体の閉じた位置で表されており、突出部９４、９５が良好に認識される。カード５０及び札５２を容器状体２内で保持する挟み留部４は、蓋部６８の真下に位置する。既に上述したように、容器状体２は、床部６、及び／又は床部部分１８の挿入側には、挿入補助手段として少なくとも１つの窪み部を有する。
【０１０２】
図２３〜図２５は、カード５０が容器状体２に挿入され、蓋部６８が閉じられた状態の保持器具又はサックの斜視図を示している。
【０１０３】
図２６は、金属でできた容器状体２の特定の一実施形態のために、容器状体２’の種々の構成要素を曲げる前段階の型を示している。破線は、種々の構成要素、例えば、挟み留部４、側方ストリップもしくは側壁１０、１２、及び結合ストリップもしくは結合壁１４の曲げ領域を示す。床部６の空所８も良好に識別される。好ましい態様で、側方ストリップ１０、１２は、終端部９６を含み、これは図１に対応して曲げた後に、結合させることができる。側方ストリップ１０には追加ストリップ９８が存在し、追加ストリップ９８は、図１２又は１５を使用して上記に説明した溝又は余地７８が、蓋部６８の結合体のために形成されるように、折り曲げることが可能である。好ましい替わりの実施の形態では、蓋部の結合体は特に、ストリップ部９８の折り曲げによって差し込まれ、又は好ましい態様でしっかりと挟まれる。
【０１０４】
特定の更なる形態では、挟み留部４は、下側部にへこみ部１００を有し、挟み留部４が曲げられた後に、上述した下側部は、へこみ部１００で札又はカードに対向し、又はこれらの上に横たわる。札又はカードの保護として、へこみ部１００内に、特にフェルト、又は金属と比較して柔らかい他の材料でできた当て物を備えることができる。更に、追加的に、又はこの替わりに、カード又は紙幣が損傷しないように、下側部、及び／又はへこみ部１００に、塗装（ラッカー）が、目的に従って、柔らかいフロックでフロック加工されて施されることが可能である。
【０１０５】
図２７には、連結具７４を有する、部分的に示された可撓性蓋部６８の結合の特定の実施形態が示されている。第２の側方ストリップ１２はアンダーカット溝７８を含み、アンダーカット溝７８には、挿入体１０２を使用して、蓋部６８の連結具７４が挿入可能である。挿入体１０２は、好ましくはくさび形に形成され、これにより、有利な態様で、革製であるのが好ましい交換可能な蓋部間の許容範囲を、更に拡大することなく事前に設定することができる。
【０１０６】
挿入体１０２は、目的に従って設けられた取手もしくは被覆体１０４から、先端１０６に向かって円錐状に先細になるように形成されており、及びほぼ（半径方向に）わきへ突出する栓１０８を含む。蓋部６８あるいは蓋部６８の側部部分又は連結具７４は、上述の栓１０８に組み込まれる孔１１０を有する。矢印１１２で示されるように、挿入体１０２は栓１０８と孔及び穴１１０とを使用して蓋部に結合され、及び矢印１１４に従って、容器状体２と結合するためにアンダーカット溝７８に差し込まれる。
【０１０７】
替わりの形態として、挿入体１０２にはスロットが形成され、連結具７４をスロット内で挟み込むことが可能である。追加的に、及び／又はこの替わりに、溝７８は、挿入体１０２の挿入を容易な態様で実施可能とするために、前側床部部分１８から後方の結合ストリップ１４の方向に先細になるように、及び／又は狭くなるように通して形成可能であり、この場合、最大の挟み状態が後方で得られ、及び／又は挿入体１０２が溝７８に実際に完全に挿入される場合に、この構成を適用しても良い。その外側輪郭が側方ストリップ１２の輪郭に適合する取手もしくは被覆体１０４を使用して、溝の前側開口部が、有利な態様で覆われる。更に、挿入体１０２及びアンダーカット溝７８は、好ましい態様で、相互に対応する、及び／又は介入するノッチ要素（固定要素）を有し、蓋部６８又はその側部部分又は連結具７４を完全に挿入した後、機能的な固定が保証される。
【０１０８】
図２８及び図２９は、本保持器具の２例の特定の実施形態を示しており、これらはそれぞれ、２つの挟み留部４を有しており、これらの実施形態は、これまでに説明した実施の形態の例と比較して、容器状体のより長い結合ストリップ１４を備えており、そして他の構成では一致している。容器状体２は、空所８を有する床部を含むが、本発明の範囲内で省略することも可能である。
【０１０９】
図２８に示した実施形態の例では、比較的短い側方ストリップ１０は、蓋部（図示せず）を固定するための溝７８を含んでいる。容器状体２の床部は、カードを挿入しやすくする、又は取り出しやすくするために、挿入領域に窪み部７９を有する。
【０１１０】
図２９に示した実施形態の例では、蓋部を結合ストリップ１４に固定するための溝７８が設けられている。本発明の範囲内で、図２８及び図２９の例示的な実施形態において、蓋部を固定、及び／又は結合するために、図９〜図１１を用いて説明した結合体又は結合要素を設けることも可能である。
【０１１１】
更に、蓋部は、他に説明した実施形態の例に類似して、挿入された札、及び／又はカードが、特に図１７及び１８を使用して説明した蓋部の突出部によって覆われるように有利な態様で形成されることが指摘される。
【０１１２】
図面に基づいて説明した例示的な実施形態は、上記説明及び図面に示され開示されている特徴を有する。それぞれ説明した、及び／又は図から理解される個別の特徴は、意義有る態様で、及び／又はそれぞれの要求のために、単独で、又は他の個別の特徴と組合せて、本発明に従い与えられ、及び／又は組合されることが可能であることは明確である。基礎に置かれた課題を解決するために適切である、説明した、及び／又は表示した個別の特徴の組合せのそれぞれは、本発明の対象である。
【符号の説明】
【０１１３】
Ｅ  挿入幅で、２の横断方向に、一点鎖線で示されている
Ｋ  挟込長さ、２の縦方向に、一点鎖線で示されている
２  容器状体
４  挟み留部
６  床部
８  空所
１０  第１の側方ストリップ
１０ａ  １０の内側構成面
１２  第２の側方ストリップ
１２ａ  １２の内側構成面
１４  後方の結合ストリップ
１６  前方端部
１８  前側床部部分
２０  １８の前側縁部
２２、２３  側方の床部部分
２４  １０の高さ
２６  １２の高さ
２８、２９  アーチ形状の領域
３０、３２  挟み留部部分
３４  ３０、３２間の除去部
３６  ４の自由端
３８  ４の曲がった先端部
４０  矢印
４２  結合領域における４の厚さ
４４  ３６における４の厚さ
４６、４７  １０、１２の前側縁部
４８  間隔
５０  カード
５２  札／紙幣
５４  ２の長さ
５６  ５０の突出部
５８  ５２の突出部
６０  ６の下側部
６１  ８の幅
６２  アンダーカット／切欠要素
６５  ４の幅
６６  破線
６８  蓋部
７０  結合体
７２  ２の結合要素
７４  連結具／側方部分
７５  ポケット
７６  ２の追加ストリップ
７７  垂れぶた
７８  余地／切込溝
７９  １８中の窪み部
８０  ２の全高
８２  ８０の一部／７６の高さ
８４、８５  角領域
８６  ７８の間隔／幅
８８  ６８中の窪み部／ポケット
９０  ６８の長さ
９２  ９４の大きさ
９４、９５  ６８の間隔
９６  破線
９８  ストリップ部分
１００  ４のへこみ部
１０２  挿入体
１０４  取手／被覆体
１０６  １０２の先端
１０８  １０２の栓
１１０  孔、穴
１１２  矢印
１１４  矢印
【図１】
2020531215.tif 000003
【図１ａ】
2020531215.tif 000004
【図１ａｂ】
2020531215.tif 000005
【図２】
2020531215.tif 000006
【図３】
2020531215.tif 000007
【図４】
2020531215.tif 000008
【図５】
2020531215.tif 000009
【図６】
2020531215.tif 000010
【図７】
2020531215.tif 000011
【図８】
2020531215.tif 000012
【図９】
2020531215.tif 000013
【図１０】
2020531215.tif 000014
【図１１】
2020531215.tif 000015
【図１２】
2020531215.tif 000016
【図１３】
2020531215.tif 000017
【図１４】
2020531215.tif 000018
【図１５】
2020531215.tif 000019
【図１６】
2020531215.tif 000020
【図１７】
2020531215.tif 000021
【図１８】
2020531215.tif 000022
【図１９】
2020531215.tif 000023
【図２０】
2020531215.tif 000024
【図２１】
2020531215.tif 000025
【図２２】
2020531215.tif 000026
【図２３】
2020531215.tif 000027
【図２４】
2020531215.tif 000028
【図２５】
2020531215.tif 000029
【図２６】
2020531215.tif 000030
【図２７】
2020531215.tif 000031
【図２８】
2020531215.tif 000032
【図２９】
2020531215.tif 000033
【国際調査報告】
2020531215.tif 000034
2020531215.tif 000035
2020531215.tif 000036
2020531215.tif 000037